(57)【要約】【課題】装着した動物が動くことで発電して現在位置を発信することが可能な発信器システムを提供する。【解決手段】発信器システム１に、動物に装着される発信器２と、発信器２との間で通信する携帯端末３とを備え、発信器２に、振動により発電する振動発電部１０を有した発電部１２と、電気を蓄える蓄電部１３と、電気を蓄電部１３に蓄えさせる蓄電制御部１４と、常時稼働し携帯端末３からのコマンドを受信するコマンド受信部１５と、ＧＰＳ衛星５により現在位置を取得するＧＰＳ受信部１７と、携帯端末３へ現在位置を送信する送信部１８と、受信したコマンドにより起動し、ＧＰＳ受信部１７を起動させて現在位置を取得した後に、送信部１８を起動させて現在位置を携帯端末３へ送信させ、その後、ＧＰＳ受信部１７及び送信部１８と自身とを休止させる送信制御部１９と、備えさせる。【選択図】図２
2018078833.tif 000002
【特許請求の範囲】
【請求項１】
動物に装着される発信器と、該発信器との間で通信可能な携帯端末と、を具備している発信器システムであって、
前記発信器は、
振動により磁石が筒状のコイル内を往復移動することにより発電する振動発電部を少なくとも有している発電部と、
電気を蓄えるための少なくとも一つの蓄電池を有している蓄電部と、
前記発電部において発電された電気を前記蓄電部に蓄えさせる蓄電制御部と、
前記蓄電部に蓄えられた電気によって常時稼働しており、前記携帯端末から送信されたコマンドを受信するコマンド受信部と、
通常の状態では休止しており、ＧＰＳ衛星からの信号を受信して現在位置を取得するためのＧＰＳ受信部と、
通常の状態では休止しており、前記携帯端末へ前記現在位置を送信するための送信部と、
通常の状態では休止しており、前記コマンド受信部において受信したコマンドに応じて起動させられ、前記ＧＰＳ受信部を起動させて前記現在位置を取得した後に、前記送信部を起動させて取得した前記現在位置を前記携帯端末へ送信させ、その後、前記ＧＰＳ受信部及び前記送信部を休止させると共に、自身が休止する送信制御部と
を具備していることを特徴とする発信器システム。
【請求項２】
前記発電部は、
光が照射されることにより発電する光発電部を、更に有していることを特徴とする請求項１に記載の発信器システム。
【発明の詳細な説明】
【技術分野】
【０００１】
本発明は、ペット等の動物に装着した発信器により動物の現在位置を確認することができる発信器システムに関するものである。
【背景技術】
【０００２】
犬や猫等のペットに、名前や連絡先等の情報を記憶させたマイクロチップを埋め込み、埋め込まれたマイクロチップの情報を、読取装置により外部から読み取ることで、動物の個体を識別できるようにすることが知られている。このマイクロチップを用いた技術では、読取装置から発信した電波により、マイクロチップ内において誘導電流を発生させ、その誘導電流によって記憶されている情報を送信させることにより、マイクロチップに記憶された情報を読み取るようにしている。
【０００３】
しかしながら、マイクロチップを用いた技術では、読取装置からの電波により発生する誘導電流が小さく、記憶されている情報を送信する電波が微弱であるため、マイクロチップからの送信範囲（最大で数ｍ）がせまいと言う問題があった。そのため、マイクロチップが埋め込まれた動物が行方不明になった時に、マイクロチップへ電波を発信しても、マイクロチップからの電波を受信することができず、動物の所在を探すことができないことがあった。
【０００４】
これに対して、蓄電池や電池を電源源として、より強い電波を送信することができる発信器を動物に装着して、遠くからでも所在を探すことができるようにすることが考えられる。しかしながら、この場合、電池が消耗することで、出力電圧が動作電圧よりも低くなると、電波を送信することができなくなるため、定期的に充電したり電池を交換したりしなければならない問題があると共に、装着した動物が行方不明になった時に電池が消耗すると、動物の所在を探すことができなくなる問題があった。
【発明の概要】
【発明が解決しようとする課題】
【０００５】
そこで、本発明は、上記の実情に鑑み、装着した動物が動くことで発電して現在位置を発信することが可能な発信器システムの提供を課題とするものである。
【課題を解決するための手段】
【０００６】
上記の課題を解決するために、本発明に係る発信器システムは、「動物に装着される発信器と、該発信器との間で通信可能な携帯端末と、を具備している発信器システムであって、前記発信器は、振動により磁石が筒状のコイル内を往復移動することにより発電する振動発電部を少なくとも有している発電部と、電気を蓄えるための少なくとも一つの蓄電池を有している蓄電部と、前記発電部において発電された電気を前記蓄電部に蓄えさせる蓄電制御部と、前記蓄電部に蓄えられた電気によって常時稼働しており、前記携帯端末から送信されたコマンドを受信するコマンド受信部と、通常の状態では休止しており、ＧＰＳ衛星からの信号を受信して現在位置を取得するためのＧＰＳ受信部と、通常の状態では休止しており、前記携帯端末へ前記現在位置を送信するための送信部と、通常の状態では休止しており、前記コマンド受信部において受信したコマンドに応じて起動させられ、前記ＧＰＳ受信部を起動させて前記現在位置を取得した後に、前記送信部を起動させて取得した前記現在位置を前記携帯端末へ送信させ、その後、前記ＧＰＳ受信部及び前記送信部を休止させると共に、自身が休止する送信制御部とを具備している」ことを特徴とする。
【０００７】
ここで、「動物」としては、犬や猫等のペット、野生動物、人、を例示することができる。「発信器」としては、「首輪によって動物に装着されるもの」、「クリップによって動物に装着されるもの」、「キーホルダによって動物に装着されるもの」、「ストラップによって動物に装着されるもの」、を例示することができる。
【０００８】
「携帯端末」としては、スマートフォン、タブレット型コンピュータ、ノート型コンピュータ、ウエラブルコンピュータ、を例示することができる。
【０００９】
携帯端末から送信される「コマンド」としては、「送信制御部を起動させて現在位置を送信させる起動コマンド」、「起動コマンドの受信時の単回のみ現在位置を送信する単回モード、及び、一定時間毎に現在位置を送信する定時モード、の何れかの動作モードに変更させるモード変更コマンド」、「定時モードを休止させる休止コマンド」、を例示することができる。
【００１０】
本構成の発信器システムは、動物に発信器を装着すると、発信器では、動物が動くことで発生する振動により、発電部の振動発電部において発電され、その電気が蓄電部に蓄えられる。そして、蓄電部に蓄えられた電気により、コマンド受信部が常時稼働している。このコマンド受信部は、電波を受信するだけのものであるため、消費電力が少ない。発信器には、コマンド受信部の他に、ＧＰＳ受信部、送信部、及び送信制御部を備えられているが、これらは、通常の状態では休止している。従って、動物が動くことにより発電部で発電される発電量に対して、コマンド受信部で消費される電力が少ないため、残りの電気が蓄電部に蓄えられることとなり、通常の状態では、満充電となっている。
【００１１】
この通常の状態で、携帯端末から発信器へコマンドを送信すると、コマンド受信部において携帯端末から送信されたコマンドを受信し、受信したコマンドに応じて送信制御部が起動する。起動した送信制御部は、ＧＰＳ受信部を起動させて現在位置を取得させた上で、送信部を起動させて、取得した現在位置を携帯端末へ送信させる。そして、発信器から送信された現在位置を、携帯端末で受信することにより、発信器が装着された動物の現在位置を知ることができる。一方、発信器では、現在位置を送信した後に、ＧＰＳ受信部、送信部、及び送信制御部が、休止して通常の状態に戻る。
【００１２】
このように、本手段によれば、動物が動くことで発生する振動により発電する振動発電部を備えていると共に、携帯端末から送信されたコマンドを受信した時に、ＧＰＳ受信部、送信部、及び送信制御部を稼働させるようにしているため、コマンドを受信していない通常の状態での消費電力を低く抑えることが可能となり、動物が動いている限り発電して蓄電部に電気を蓄えさせることができ、蓄電部からの出力電圧が動作電圧よりも低くなって現在位置の送信ができなくなる恐れがない。
【００１３】
また、蓄電部の蓄電池に蓄えられた電気により送信部を駆動させているため、誘導電流により電波を送信させる従来技術に比べて、送信部から強い電波を送信することができ、送信範囲を広くすることができる。従って、発信器を装着した動物が行方不明になった場合、携帯端末からコマンドを送信すると、動物が遠くにいても、発信器から送信された情報（現在位置）を受信することができるため、携帯端末において動物の現在位置を知ることができ、行方不明になった動物を探すことができる。
【００１４】
また、本発明の発信器システムは、上記の構成に加えて、「前記発電部は、光が照射されることにより発電する光発電部を、更に有している」ようにしても良い。
【００１５】
本構成によれば、発電部に、振動発電部に加えて光発電部を備えているため、発信器を装着した動物が動いていない状態でも、発信器に日光や照明等の光が当たっていれば、発電して蓄電部に蓄えることができ、蓄電池の消耗を抑制させることができる。
【発明の効果】
【００１６】
以上のように、本発明の効果として、装着した動物が動くことで発電して現在位置を発信することが可能な発信器システムを提供することができる。
【図面の簡単な説明】
【００１７】
【図１】（ａ）は本発明の一実施形態である発信器システムにおいて首輪型の発信器を示す斜視図であり、（ｂ）は（ａ）の発信器における本体の内部を概略で示す説明図であり、（ｃ）は（ａ）の発信器の本体において一部を切断して示す斜視図である。
【図２】発信器システムの概略を示す構成図である。
【図３】発信器の動作を説明するフローチャートである。
【図４】（ａ）は図１とは異なる形態の発信器を示す斜視図であり、（ｂ）は（ａ）の発信器において一部を切断して示す斜視図である。
【発明を実施するための形態】
【００１８】
本発明の一実施形態である発信器システム１について、図１及び図３を参照して詳細に説明する。発信器システム１は、首輪型の発信器２と、発信器２との間で通信可能な携帯端末３とで構成されている。本実施形態の携帯端末３は、携帯電話としての音声通話の他に、撮影機能、動画を含む画像表示機能、インターネット等のネットワーク接続機能、等を有したスマートフォンである。発信器２と携帯端末３とは、一般的な無線電話回線の基地局４を介して通信が行われる。図２において、実線の矢印は、情報の流れを示す信号線であり、点線の矢印は、電力の流れを示す電力線である。
【００１９】
発信器２は、振動により発電する振動発電部１０、及び、光が照射されることにより発電する光発電部１１を、有している発電部１２と、電気を蓄えるための蓄電池を有している蓄電部１３と、発電部１２において発電された電気を蓄電部１３に蓄えさせる蓄電制御部１４と、携帯端末３から送信されたコマンドを受信するコマンド受信部１５と、ＧＰＳ衛星５からの信号をＧＰＳアンテナ１６により受信して現在位置を取得するためのＧＰＳ受信部１７と、携帯端末３へ現在位置を送信するための送信部１８と、コマンド受信部１５において受信したコマンドに応じて起動させられ、ＧＰＳ受信部１７を起動させて現在位置を取得した後に、送信部１８を起動させて取得した現在位置を携帯端末３へ送信させ、その後、ＧＰＳ受信部１７及び送信部１８を休止させると共に、自身が休止する送信制御部１９と、を備えている。
【００２０】
また、発信器２は、振動発電部１０、蓄電部１３、蓄電制御部１４、コマンド受信部１５、ＧＰＳ受信部１７、送信部１８、及び送信制御部１９を、内部に収容している筒状の発信器本体２０を、備えている。発信器本体２０は、首輪Ｃのバンドの長手方向の中央付近に取付けられている（図１（ａ）を参照）。この発信器本体２０は、樹脂により形成されており、内部に備えられている振動発電部１０等が密閉されている。
【００２１】
振動発電部１０は、図１（ｂ）及び（ｃ）に示すように、筒状のコイル１０ａと、コイル１０ａ内に設けられている磁石１０ｂと、コイル１０ａの両端に夫々設けられている一対の弾性部材１０ｃと、を備えている。コイル１０ａは、発信器本体２０の内部に取付けられており、発信器本体２０の端部から中央付近まで延びている。磁石１０ｂは、短い円柱状に形成されており、軸方向へ移動できるようにコイル１０ａ内に挿入されている。弾性部材１０ｃは、ゴムを円錐状に形成したものである。一対の弾性部材１０ｃは、円錐の頂点がコイル１０ａの軸方向中央を向いている状態で、夫々発信器本体２０に取付けられている。
【００２２】
振動発電部１０は、振動により磁石１０ｂが筒状のコイル１０ａ内を往復移動することにより発電するものである。詳述すると、振動発電部１０は、発信器本体２０が振動することで、自由な状態となっている磁石１０ｂが、コイル１０ａ内を軸方向へ相対的に移動することとなり、磁石１０ｂの移動によりコイル１０ａを形成している導線に、誘導電流が発生して発電することができる。振動発電部１０は、コイル１０ａの両端に弾性部材１０ｃを備えているため、弾性部材１０ｃにより磁石１０ｂがコイル１０ａよりも外側へ移動することを防止することができると共に、弾性部材１０ｃの弾性力により磁石１０ｂを跳ね返して、コイル１０ａ内で往復移動し易くしている。
【００２３】
また、振動発電部１０は、弾性部材１０ｃの円錐の先端を、軸方向中央へ向けていることから、磁石１０ｂの往復移動が停止して弾性部材１０ｃに接している状態では、略点接触となるため、磁石１０ｂと弾性部材１０ｃとの摩擦抵抗が小さく、弾性部材１０ｃから磁石１０ｂを離れ易くしている。また、弾性部材１０ｃを、円錐状としているため、移動してきた磁石１０ｂが当接した時に、その慣性力を徐々に受け止めて吸収することができ、当接音を小さくすることができる。
【００２４】
光発電部１１は、可撓性を有した帯状の太陽電池セルにより形成されており、首輪Ｃのバンドにおいて、発信器本体２０が取付けられている部位の両側に夫々取付けられている。
【００２５】
蓄電部１３は、リチウムイオン電池、ニッケル・水素電池、ニッケル・カドミウム電池、電解コンデンサー、等の蓄電池（二次電池）により形成されている。蓄電制御部１４は、交流を直流に変換する整流部と、蓄電池に充電すると共に過充電を防止する充電部と、蓄電力の出力電圧を一定にする定電圧部と、蓄電池の充電状況を出力する出力部と、を備えている。
【００２６】
コマンド受信部１５は、蓄電部１３に蓄えられた電気によって常時稼働している。コマンド受信部１５は、基地局４から送信された電波を受信する受信部と、受信した電波の中から当該発信器２宛に送られた情報（コマンド）を抽出するコマンド抽出部と、コマンドを抽出したことにより送信制御部１９を起動させる起動部と、起動した送信制御部１９にコマンドを送るコマンド送付部と、を備えている。コマンドとしては、送信制御部を起動させて現在位置を送信させる起動コマンド、動作モードを変更させるモード変更コマンド、動作を休止させる休止コマンド、がある。
【００２７】
ＧＰＳアンテナ１６は、二つ備えられており、首輪Ｃのバンドにおいて、一対の光発電部１１の両外側の部位に夫々取付けられている。ＧＰＳ受信部１７は、通常の状態では休止している。ＧＰＳ受信部１７は、ＧＰＳアンテナ１６で受信した電波をＣ／Ａコードに変換するＡ−Ｄ変換部と、Ｃ／Ａコードを復調するコード相関部と、復調されたＣ／Ａコードを用いて現在位置（緯度及び経度）を演算する演算部と、を備えている。
【００２８】
送信部１８は、通常の状態では休止している。送信部１８は、発振部と、予め設定された周波数のみを抽出する帯域フィルタ部と、出力する搬送周波数を増幅する増幅部と、送信制御部１９からの情報により搬送周波数を変調させる変調部と、変調された搬送周波数を電波として出力する電波出力部と、を備えている。送信部１８では、携帯端末３宛の情報を電波に乗せて、基地局４へ送信する。
【００２９】
送信制御部１９は、通常の状態では休止している。送信制御部１９は、発信器として機能させるためのプログラムが予め記憶されている記憶部と、プログラムを実行させるための中央演算処理部（ＣＰＵ）と、時間を計測するためのタイマと、蓄電部１３の電気をＧＰＳ受信部１７及び送信部１８へ供給するための電気供給部と、を備えている。送信制御部１９では、ＧＰＳ受信部１７による現在位置の情報の他に、蓄電部１３での残量の情報、現在位置を送信する動作モードの情報、等を送信部１８から送信させる。ここでは、動作モードとして、起動コマンドの受信時の単回のみ現在位置を送信する単回モードと、一定時間毎に現在位置を送信する定時モードの二つがあり、初期設定では、単回モードに設定されている。
【００３０】
本実施形態の発信器２は、発信器本体２０に加えて、光発電部１１及びＧＰＳアンテナ１６が、ＩＰＸ７〜８の防水性能を有するように形成されている。これにより、雨等による外界の考え得る多くの条件に耐えることができる。
【００３１】
次に、本実施形態における発信器システム１の動作について説明する。まず、犬や猫等のペットに発信器２（首輪Ｃ）を取付ける。これにより、首輪Ｃを介して発信器２が動物に装着される。この状態で、動物が動くことで、首輪Ｃに取付けられている発信器本体２０が振動することとなり、この振動により発信器本体２０内部の磁石１０ｂがコイル１０ａ内を往復移動して発電される。また、首輪Ｃのバンドには光発電部１１が取付けられており、光発電部１１に太陽や照明等の光が当ることで発電される。
【００３２】
そして、振動発電部１０や光発電部１１の発電部１２において発電された電気は、蓄電制御部１４を介して蓄電部１３に蓄えられる。蓄電部１３が満充電となった場合は、発電部１２から電気が送られてきても、蓄電制御部１４において蓄電部１３側への通電がカットされ、過充電を防止している。この発信器２では、蓄電部１３に蓄電された電気により、コマンド受信部１５が常時稼働しており、近くに存在する基地局４からの電波を受信し続けている。また、発信器２は、通常の状態では、ＧＰＳ受信部１７、送信部１８、及び、送信制御部１９が、休止している。なお、送信部１８は、基地局４との接続を維持するために、一定時間毎に、基地局４へ電波を送信するようにしても良い。
【００３３】
首輪Ｃを取付けた動物が行方不明になる等して、動物を探す場合には、携帯端末３から発信器２宛に起動コマンドを送信する。初期設定では、発信器２の動作モードが単回モードとなっているため、動作モードを定時モードに変更したい場合は、起動コマンドに次いでモード変更コマンドを送信する。
【００３４】
発信器２では、図３に示すように、ステップＳ１０１において、コマンドを受信するまで待機しており、コマンド（起動コマンド）を受信すると（ステップＳ１０１においてＹＥＳ）、次のステップＳ１０２において送信制御部１９を起動させる。続く、ステップＳ１０３では、モード変更コマンドを受信しているか否かが判定され、モード変更コマンドを受信していなければ（ステップＳ１０３においてＮＯ）、次のステップＳ１０４へ進み、蓄電制御部１４から蓄電部１３の残量を取得してステップＳ１０６へ進む。一方、モード変更コマンドを受信していた場合は（ステップＳ１０３においてＹＥＳ）、ステップＳ１０５へ進み、動作モードを単回モードから定時モードに変更（定時モードの場合は単回モードに変更）して、次のステップＳ１０４〜ステップＳ１０６へ進む。
【００３５】
ステップＳ１０６では、現在の動作モードが単回モードの場合（ステップＳ１０６においてＹＥＳ）、ステップＳ１０７へ進み、ＧＰＳ受信部１７を起動させ、次のステップＳ１０８では、起動させたＧＰＳ受信部１７により現在位置を取得する。そして、続くステップＳ１０９では、送信部１８を起動させて次のステップＳ１１０へ進み、ステップＳ１１０において、送信部１８により現在位置と蓄電部１３の残量の情報を、基地局４を介して携帯端末３へ送信する。その後、ステップＳ１１１へと進み、ＧＰＳ受信部１７及び送信部１８を休止させ、更に、次のステップＳ１１２において、送信制御部１９を休止させて、ステップＳ１０１へ戻って通常の状態で待機する。
【００３６】
一方、ステップＳ１０６において、現在の動作モードが定時モードの場合（ステップＳにおいてＮＯ）、ステップＳ１１３へと進み、蓄電部１３の残量が第一範囲内（１００％〜８０％の範囲内）であるか否かが判定され、第一範囲内であれば（ステップＳ１１３においてＹＥＳ）、次のステップＳ１１４へ進み、ｎの値を第一時間（１０分）とし、送信制御部１９内のタイマをスタートさせて、ステップＳ１１５へ進む。一方、ステップＳ１１３において、蓄電部１３の残量が第一範囲内でなければ（ステップＳ１１３においてＮＯ）、ステップＳ１１６へ進み、蓄電部１３の残量が第二範囲内（８０％〜４０％の範囲内）であるか否かを判定する。そして、蓄電部１３の残量が第二範囲内であれば（ステップＳ１１６においてＹＥＳ）、次のステップＳ１１７へ進み、ｎの値を第二時間（３０分）とし、送信制御部１９内のタイマをスタートさせて、ステップＳ１１５へ進む。
【００３７】
ステップＳ１１５では、ＧＰＳ受信部１７を起動させ、次のステップＳ１１８では、起動させたＧＰＳ受信部１７により現在位置を取得する。そして、続くステップＳ１１９では、送信部１８を起動させて次のステップＳ１２０へ進み、ステップＳ１２０において、送信部１８により現在位置と蓄電部１３の残量の情報を、基地局４を介して携帯端末３へ送信する。その後、ステップＳ１２１へと進み、ＧＰＳ受信部１７及び送信部１８を休止させて、次のステップＳ１２２へ進む。
【００３８】
ステップＳ１２２では、送信制御部１９内のタイマにおいてｎ時間（第一時間又は第二時間）が経過したか否かが判定され、ｎ時間が経過するまで待機する。そして、ステップＳ１２２において、ｎ時間が経過したと判定されると、次のステップＳ１２３へ進み、休止コマンドを受信したか否かが判定される。休止コマンドは、割込み用のコマンドである。ステップＳ１２３において、休止コマンドを受信してない場合（ステップＳ１２３においてＮＯ）、ステップＳ１１３へ戻る。一方、休止コマンドを受信した場合は（ステップＳ１２３においてＹＥＳ）、ステップＳ１１２へ進み、送信制御部１９を休止させて通常の状態で待機する。
【００３９】
ところで、ステップＳ１１６において、蓄電部１３の残量が第二範囲内でなければ（ステップＳ１１６においてＮＯ）、ステップＳ１２４へと進み、動作モードを定時モードから単回モードに変更して、ステップＳ１０７へと進む。そして、上述した通り、ステップＳ１０７〜ステップＳ１１２を実行して、通常の状態で待機する。
【００４０】
このように、発信器２において、動作モードが単回モードの場合は、携帯端末３から起動コマンドを送信するたびに、発信器２から現在位置等の情報が送信される。一方、動作モードが定時モードの場合は、蓄電部１３の残量が第一範囲内の時には第一時間毎に、現在位置等の情報が送信され、残量が第二範囲内の時には第二時間毎に、現在位置等の情報が送信される。つまり、蓄電部１３の残量に応じて、発信器２から現在位置等の情報が送信される時間の間隔が変化し、電力の消費量を抑えるようにしている。また、残量が第二範囲内以外、ここでは、第二範囲よりも少ない時には、動作モードを単回モードに変更した後に、現在位置等の情報を送信して通常の状態（休止状態）となる。
【００４１】
一方、携帯端末３では、基地局４を介して発信器２へ起動コマンドを送信した後に、基地局４を介して発信器２から送信された現在位置等の情報を受信すると、受信した現在位置を地図上に表示すると共に、蓄電部１３の残量を表示する。これにより、首輪Ｃが取付けられた動物の現在位置を確認することができる。
【００４２】
また、携帯端末３では、起動コマンドを送信してから所定時間（例えば、２〜５分）経過しても、発信器２から現在位置等の情報を受信することができない時には、発信器２において電池が消耗して出力電圧が動作電圧よりも低くなっていると判断して、その旨を表示する。このような時には、首輪Ｃが取付けられた動物が動いたり光発電部１１に光が当ったりすることにより発電部１２で発電されて、蓄電部１３の残量が回復することとなるため、残量が回復するような適当な時間が経過した後に、携帯端末３から起動コマンドを送信する。
【００４３】
このように、本実施形態の発信器システム１によれば、動物が動くことで発生する振動により発電する振動発電部１０を備えていると共に、携帯端末３から送信されたコマンドを受信した時に、ＧＰＳ受信部１７、送信部１８、及び送信制御部１９を稼働させるようにしているため、コマンドを受信していない通常の状態での消費電力を低く抑えることが可能となり、動物が動いている限り発電して蓄電部１３に電気を蓄えさせることができ、蓄電部１３からの出力電圧が動作電圧よりも低くなって現在位置の送信ができなくなる恐れがない。
【００４４】
また、蓄電部１３の蓄電池に蓄えられた電気により送信部１８を駆動させているため、誘導電流により電波を送信させる従来技術に比べて、送信部１８から強い電波を送信することができ、送信範囲を広くすることができる。従って、発信器２を装着した動物が行方不明になった場合、携帯端末３からコマンド（起動コマンド）を送信すると、動物が遠くにいても、発信器２から送信された現在位置を受信することができるため、携帯端末３において動物の現在位置を知ることができ、行方不明になった動物を探すことができる。
【００４５】
更に、発電部１２に、振動発電部１０に加えて光発電部１１を備えているため、発信器２を装着した動物が動いていない状態でも、発信器２に日光や照明等の光が当たっていれば、発電して蓄電部１３に蓄えることができ、蓄電池の消耗を抑制させることができる。
【００４６】
また、定時モードの時に、蓄電部１３の残量に応じて現在位置等を送信部１８により送信する間隔を、異ならせているため、蓄電部１３での電気の消耗を抑制させることができる。
【００４７】
以上、本発明について好適な実施形態を挙げて説明したが、本発明は上記の実施形態に限定されるものではなく、本発明の要旨を逸脱しない範囲において、種々の改良及び設計の変更が可能である。なお、以下では、構成が同じ部位については同一の符号を付し、詳細な説明は省略する。
【００４８】
例えば、上記の実施形態では、発信器２として首輪型のものを示したが、これに限定するものではなく、図４に示すようなクリップ型、キーホルダ型、ストラップ型、等としても良い。クリップ型の発信器２Ａとしては、上記の発信器２と同じ構成の発信器本体２０を備えており、更に、発信器本体２０の外周面に取付けられている光発電部１１と、発信器本体２０の長手方向の端部に取付けられているＧＰＳアンテナ１６と、発信器本体２０の外周面に取付けられているクリップ２１と、を備えている。発信器２Ａは、クリップ２１を用いて、衣類のポケットや鞄等に引掛けたり、クリップ２１に設けられている孔に紐やチェーン等を通して吊下げたりして使用する。この発信器２Ａによっても、上記と同様の作用効果を奏することができ、装着したペットや人等の動物の現在位置を確認することができる。このようなことから、例えば、野生動物調査、子供の迷子・誘拐時の探知、老人の徘徊探知、探偵業・警察による人間追尾等に用いることができる。
【００４９】
また、上記の実施形態では、基地局４を介して、発信器２と携帯端末３との間で通信するものを示したが、これに限定するものではなく、基地局４を介在させることなく、発信器２と携帯端末３との間で、直接通信するものとしても良い。
【００５０】
また、上記の実施形態では、振動発電部１０の弾性部材１０ｃとして、円錐状のゴムを示したが、これに限定するものではなく、半球状や円柱状のゴムとしても良いし、非鉄金属からなる板バネやコイルバネとしても良い。
【００５１】
更に、上記の実施形態では、蓄電部１３として、蓄電池を一つのみ有したものを示したが、これに限定するものではなく、複数の蓄電池を有したものとしても良い。
【符号の説明】
【００５２】
１  発信器システム
２  発信器
２Ａ  発信器
３  携帯端末
４  基地局
５  ＧＰＳ衛星
１０  振動発電部
１１  光発電部
１２  発電部
１３  蓄電部
１４  蓄電制御部
１５  コマンド受信部
１６  ＧＰＳアンテナ
１７  ＧＰＳ受信部
１８  送信部
１９  送信制御部
２０  発信器本体
２１  クリップ
Ｃ  首輪
【図１】
2018078833.tif 000003
【図２】
2018078833.tif 000004
【図３】
2018078833.tif 000005
【図４】
2018078833.tif 000006